(57)【特許請求の範囲】
【請求項１】
装着されたペーパーマガジンに収容されているロール状の印画紙を引き出して１オーダ単位で画像を焼き付ける画像焼付装置において、
前記１オーダ分の印画紙の使用量を算定する印画紙使用量算定手段と、前記ペーパーマガジンにおける印画紙の残量を管理する印画紙残量管理手段と、前記印画紙使用量算定手段で算定された印画紙使用量と前記印画紙残量管理手段によって管理されている印画紙残量とから１オーダの焼付処理中に印画紙切れが生じないかどうかをチェックする印画紙切れチェック部とを備えており、
前記印画紙切れチェック部は前記ペーパーマガジンに対して印画紙切れの可能性があると判定した場合別のオーダに対してその焼付処理中に印画紙切れが生じないかどうかをチェックすることを特徴とする画像焼付装置。
【請求項２】
前記画像焼付装置は複数のペーパーマガジンを装着可能であり、前記印画紙切れチェック部は一方のペーパーマガジンに対して印画紙切れの可能性があると判定した場合他方のペーパーマガジンに対する印画紙切れのチェックを行うか又は別のオーダに対してその焼付処理中に印画紙切れが生じないかどうかをチェックするかのいずれかを選択することを特徴とする請求項１に記載の画像プリンターのための記録紙残量表示装置。
【請求項３】
前記ペーパーマガジンに付与されたマガジン情報を読み取るマガジン情報読取センサーが備えられており、前記印画紙残量管理手段は前記マガジン情報読取センサーによって読み取られたマガジン情報から装着されたペーパーマガジンを特定するとともに、特定されたペーパーマガジン毎に印画紙残量を管理することを特徴とする請求項１又は２に記載の画像焼付装置。
【請求項４】
印画紙を再充填したペーパーマガジンが装着されたことを示す再充填識別信号を生成するスイッチが用意されており、前記印画紙残量管理手段は前記再充填識別信号に応答して対応するペーパーマガジンの印画紙残量をリセットすることを特徴とする請求項３に記載の画像焼付装置。
【発明の詳細な説明】
【０００１】
【発明の属する技術分野】
本発明は、装着されたペーパーマガジンに収容されているロール状の印画紙を引き出して１オーダ単位で画像を焼き付ける画像焼付装置に関する。
【０００２】
【従来の技術】
デジタルカメラによる画像データをデジタル露光式で、或いは光学式カメラによるフィルム画像を投影露光式又はデジタル露光式で印画紙に焼き付けるする画像焼付装置においては、従来より、給紙効率を高めるため、ロール状に巻き付けられた長尺紙が用いられ、画像形成の前又は後で適当な長さにカットされている。例えば、印画紙に画像を焼き付ける写真焼付装置では、そのようなロール状印画紙は巻芯に巻かれた状態でペーパーマガジンに収納されている。使用時には、ペーパーマガジンが写真焼付装置に装着され、ロール状印画紙の先端がマガジン開口部から引き出される。印画紙搬送機構によって搬送される印画紙は、プリントサイズに合わせた長さにカットされた後露光台に送られ、焼付処理を受け、現像処理装置で現像処理され、仕上がりプリントとして排出される。プリントサイズに合わせた長さのカットが、焼付処理の後、或いは現像処理の後に行われる形態もある。ペーパーマガジンを複数備えることにより、大量の連続焼付作業や最適な幅サイズの印画紙を用いることによる種々のプリントサイズへの適応を考慮したものもある。
【０００３】
このような画像焼付作業では、例えば写真フィルムの場合、撮影が終了した１本のネガフィルムはＤＰＥ店へ持ち込まれ、同時プリントが依頼されるので、ネガフィルムの現像処理を行って顕像化された各画像コマを順次印画紙に焼き付けるというように１本のフィルム単位で行われ、一般にはこの処理単位を１オーダと呼んでいる。同時プリントされた印画紙と現像済みネガフィルムはＤＰＥ店から顧客に渡されるが、その際ネガフィルムは、ピースネガとして４コマ又は６コマ単位でカットされ、各ピースネガはネガシートに収納されて、顧客に戻される。後日、焼き増しの必要が生じた場合、顧客は、ＤＰＥ店において、焼き増し対象となる画像コマと焼き増し枚数を注文伝票に記入するとともにピースネガを収納したネガシートを手渡すことになるが、このような焼き増し注文の単位も、やはり１オーダーと呼ばれている。デジタルカメラなどで撮像された画像では、カードメモリなどの記録メディア１つ分の焼付注文が１オーダと見なすことができる。
【０００４】
つまり、１オーダとは焼付装置における連続して行われる作業単位であり、１オーダ毎に、焼き付けるべき画像のシミュレート画像をモニターに表示しながら、露光条件のチェックをした後、この１オーダの焼付が行われる。これにより、１オーダにおいて、画像の調子がほどよく一様化されるので、顧客が各仕上がりプリントの出来映えに違和感を持つようなことは少ない。
【０００５】
【発明が解決しようとする課題】
しかしながら、１オーダの焼付作業中に印画紙切れが生じた場合、ペーパーマガジンの交換が必要となるが、印画紙は同一メーカで同一種類であってもそのロットによっては微妙に感光特性が異なることがあり、１オーダの焼付において印画紙を交換すると１オーダにおける画像の調子に変化が生じ、顧客が各仕上がりプリントの出来映えに違和感を持つことがある。
【０００６】
１オーダの焼付作業中に印画紙切れが生じることを避けるには、例えば、特開平１０−２９３６１号公報に開示されているような、ペーパーマガジンを貫通する連結ロッドを介して揺動アーム連結されている表示部材と、ペーパーマガジン外壁に取り付けられた目盛り板とからなる残量表示装置が備えられているペーパーマガジンを採用し、印画紙ロールの巻き取り径の変化により印画紙の残量を予測するとともに、処理しようとしているオーダで必要とされる印画紙の使用量を想定し、これよりオペレータが判断しなければならない。しかしながら、プリントサイズには、標準サイズ以外にパノラマサイズなど異なったサイズも存在し、印画紙の使用量を想定することはかなりの熟練を要す。また、印画紙ロールの巻き取り径の変化により予測する印画紙の残量は、それほど正確な値が期待できない。
上記実状に鑑み、本発明の目的は、オペレータに負担をかけることなしに、１オーダの焼付処理中に印画紙切れが生じさせない画像焼付装置を提供することである。
【０００７】
【課題を解決するための手段】
装着されたペーパーマガジンに収容されているロール状の印画紙を引き出して１オーダ単位で画像を焼き付ける画像焼付装置において、上記目的を達成するため、本発明による画像焼付装置は、前記１オーダ分の印画紙の使用量を算定する印画紙使用量算定手段と、前記ペーパーマガジンにおける印画紙の残量を管理する印画紙残量管理手段と、前記印画紙使用量算定手段で算定された印画紙使用量と前記印画紙残量管理手段によって管理されている印画紙残量とから１オーダの焼付処理中に印画紙切れが生じないかどうかをチェックする印画紙切れチェック部とを備えており、前記印画紙切れチェック部は前記ペーパーマガジンに対してその印画紙切れの可能性があると判定した場合別のオーダに対して焼付処理中に印画紙切れが生じないかどうかをチェックする。
【０００８】
この構成では、ペーパーマガジンに予め全長が分かっているロール状の印画紙を充填することにより、装着されたペーパーマガジンに収容されている印画紙の累算使用量から常にその印画紙の残量が管理でき、１オーダに含まれている焼付画像の数とそのプリントサイズとプリント枚数から焼付すべきオーダに必要とされる印画紙使用量が算定され、装着されているペーパーマガジンを用いた、１オーダの焼付処理が印画紙切れを伴わずに可能かどうか印画紙切れチェック部で判定され、１オーダの焼付処理中に印画紙が途切れると判断された場合は、別のオーダ、特に焼き増しプリントオーダ（一般的にトータルの焼付枚数は同時プリントより少ない）に振り替えることにより、連続した仕上がりプリントの出来映えに顧客が違和感を持つような事態を引き起こすオーダ途中での印画紙交換を回避する。
【０００９】
なお、ロール状印画紙には公称の全長が与えられているので、その値を充填時の残量として用いればよいし、全長が不明の場合や、より正確な全長が必要な場合は、使用に先立って一旦印画紙を全て引き出して測長し、再度巻き戻しても良い。プリントサイズは、プリント作業に先立って行われる受付処理や、フィルムスキャナによって取り込まれたデジタル画像からパノラマ画面などを自動判定することによって、或いは露光条件チェックのためのシミュレート画像を見ながらのオペレータによる手動入力によって決定することができる。例えば、ＡＰＳフィルムなどでは、元画像としての写真フィルムに直接プリントサイズが記録されており、その場合、そのような記録情報を読み取ることによりプリントサイズは自動的に決定されるので、それを利用することもできる。
【００１０】
画像プリンターによっては、複数のペーパーマガジンを装着するものがある。この場合、本発明による好適な実施形態では、前記記録紙残量表示手段が各ペーパーマガジン毎の記録可能枚数を算定して表示するように構成されている。これにより、もし一方のペーパーマガジンでは１オーダのプリントが出来ないとしても、他方のペーパーマガジンで可能であればそれを選択することにより、プリント作業が途切れずに進行できる。また、複数のペーパーマガジンに異なる幅の記録紙が収容されている場合、プリントサイズに最適なペーパーマガジンを選択しながら、１オーダのプリント作業が途中で紙切れなしで行えることが容易に確認できる。
【００１１】
画像プリンターによっては、複数のペーパーマガジンを装着するものがある。この場合、本発明による好適な実施形態では、前記印画紙切れチェック部は一方のペーパーマガジンに対して印画紙切れの可能性があると判定した場合他方のペーパーマガジンに対する印画紙切れのチェックを行うか又は別のオーダの焼付処理中に印画紙切れが生じないかどうかをチェックするかのいずれかを選択するように構成されている。これにより、もし一方のペーパーマガジンでは１オーダの焼付処理ができないとしても、他方のペーパーマガジンで可能であればそれを選択することもできるし、あるいは処理対象オーダを変更して別のオーダでは印画紙切れなしの焼付処理が可能であればその変更したオーダの焼付処理を行うことができる。このことにより、焼付処理が途切れずに進行できる。
【００１２】
本発明によるさらに別な実施形態では、前記ペーパーマガジンに付与されたマガジン情報を読み取るマガジン情報読取センサーが備えられており、前記印画紙残量管理手段は前記マガジン情報読取センサーによって読み取られたマガジン情報から装着されているペーパーマガジンを特定するとともに、特定されたペーパーマガジン毎に印画紙残量を管理している。１台の画像プリンターに多くの装着されるべきペーパーマガジンが付帯している場合、各ペーパーマガジンにそのマガジン固有の情報が付与されているならば、この情報を読取センサーによって読み取ることで特定されたそのペーパーマガジンの残量などを印画紙残量管理手段は読み出すことができる。特に、マガジン情報としてマガジンＩＤを付与しておけば、各ペーパーマガジンが残量データを保有しなくとも、印画紙残量管理手段がマガジンＩＤ毎の残量を記憶メディア等を用いて保有するだけでよい。
【００１３】
上述したような実施形態の場合、ペーパーマガジンが印画紙を再充填した場合、印画紙残量管理手段に格納されている残量をリセットする必要があるので、印画紙を再充填したペーパーマガジンが装着されたことを示す再充填識別信号を生成するスイッチが用意されており、前記印画紙残量管理手段が前記再充填識別信号に応答して対応するペーパーマガジンの印画紙残量をリセットすることが提案される。これを簡単に実現するためには、写真焼付装置の操作を行う操作卓の１つのキーをこのスイッチとして割り当てるような構成を採用し、ペーパーマガジンの装着時にモニターにメニュー表示することでオペレータによってリセット指令（印画紙の再充填時であれば）を入力させてもよい。
本発明のその他の特徴と利点は、以下の図面を用いた実施形態の説明から明らかにされるだろう。
【００１４】
【発明の実施の形態】
図１には、本発明による画像焼付装置の一例としての写真焼付装置１と現像処理装置２が合体したプリンタープロセッサーの概略図が示されている。この写真焼付装置１の上部には、ペーパーマガジン３の装着部１ａが形成されており、この実施形態では、第１ペーパーマガジン３Ａと第２ペーパーマガジン３Ｂが装着されており、ここでは同じサイズの印画紙４が収納されていることにするが、もちろん異なるサイズの印画紙４を収納して、種々のプリントサイズに迅速に適応できるようにしてもよい。ペーパーマガジン３の装着部１ａには、装着されたペーパーマガジン３のマガジンＩＤ３１を読み取るセンサー３０が設けられている。
【００１５】
写真焼付装置１には、印画紙４に写真フィルム５のコマ画像を焼き付ける投影露光部１０が備えられており、現像処理装置２には露光を終えた印画紙４を現像する現像処理タンク２０や乾燥処理部２１が備えられ、仕上げられた印画紙４、つまり仕上がりプリントは排出部２２から装置外に送り出される。このプリンタープロセッサー内には、ペーパーマガジン３から印画紙４を引き出し、ペーパーカッター４１によってプリントサイズに合わせてカットされた印画紙４を投影露光部１０、現像処理タンク２０、乾燥処理部２１を経て排出部２２に搬送する印画紙搬送機構６が敷設されている。
【００１６】
現像処理タンク２０は、内部を仕切り板２０ａでいくつかの区画に仕切って構成されており、それぞれの区画内には現像処理に必要な異なる種類の現像処理液が充填されている。印画紙４は各区画を順次搬送されることにより、現像処理される。乾燥処理部２１は、印画紙搬送機構６によって形成される搬送ラインの一方の側部に設けられたヒータ２１ａを備えており、印画紙４がこの領域の搬送ラインを通過する間に適正に乾燥される。乾燥処理部２１を出た印画紙４は、排出部２２から排出され、横搬送コンベヤ２３に載せられ、ここでは図示されていないソータへ送られる。
【００１７】
図２に示すように、投影露光部１０には、露光用光源１１、露光用光路に黄、マゼンタ、シアンの各フィルタが出退することにより露光用光源１１からの照射光の色バランスを調整する調光フィルタ１２、調光フィルタ１２にて色バランスを調整した光を均一に混色するミラートンネル１３、焼付対象となるフィルム５のコマ画像を印画紙４上に結像する焼付用レンズ１４、シャッタ１５、オートネガマスク１６、フィルム搬送ラインを構成するフィルム搬送機構１７が備えられている。フィルム搬送ラインには、フィルム５に貼り付けられたバーコードシールを読み取るバーコードリーダ１８が設けられている。このバーコードにはオーダＩＤなどのプリント情報が記録されている。投影露光部１０の各構成要素やバーコードリーダ１８はコントローラ７に接続されている。
【００１８】
この写真焼付装置１では、投影露光部１０による焼付処理に先だってフィルム画像の検定が行われる。このため投影露光部１０に投入されたフィルム５の各コマ画像をスキャニングしてデジタル画像データとして取り込むフィルムスキャナー１９が設けられている。スキャナー１９は、よく知られているように、照明光学系、撮像光学系、ＣＣＤセンサーを用いた光電変換部から構成されており、コントローラ７による制御の下でコマ画像をスキャニングしてデジタル画像データの形でコントローラ７に設けられている画像メモリーに送り込む。
【００１９】
画像メモリーに送り込まれたこのデジタル画像データを用いてコントローラは自動的に露光条件を決定するが、その際その露光条件で処理され得られることが予想される仕上がりプリントの画像のシミュレート画像を生成し、モニタ７ａに表示する。オペレータはこのシミュレート画像を見ながら、露光条件の変更が必要であれば、操作卓７ｂを用いて修正し、プリント不可能なコマ画像に対してはプリント不能扱いとする。同時プリントでは、普通プリント枚数は１枚であるが、特別な注文時にはここでプリント枚数を変更することも可能である。さらに、画像メモリーに送り込まれたこのデジタル画像データから得られるコマ画像の幾何学的形状に基づいてパノラマ画面などの特殊画面の判定も行うことができる。例えば、パノラマ画面であれば、必要な印画紙長さは標準画面の３倍となる。
【００２０】
投影露光部１０における焼付処理では、コントローラ７は、上述したように方法で決定された露光条件に応じて、調光フィルタ１２の各フィルタの位置、及び、シャッタ１５の開放時間つまり露光時間を制御し、印画紙４にフィルム５のコマ画像を投影露光する。
【００２１】
このように、コントローラ７は、ＣＰＵ、ＲＯＭ、ＲＡＭ、Ｉ／Ｆ回路などからなるマイクロコンピュータシステムを中核部材として構成され、このプリンタープロセッサーに必要な各種機能要素をハードウエア又はソフトウエア或いはその両方で実現させているが、その中で、本発明による１オーダの焼付処理途中での印画紙切れを開始するための技術にとって重要な機能要素は、印画紙残量管理手段７０、印画紙使用量算定部７１、マガジン情報取得部７２、印画紙切れチェック部７３、プリントサイズ７４、プリント枚数決定部７５であり、その他印画紙残量表示装置以外の目的にも機能するものとして、印画紙搬送制御部７６、フィルム搬送制御部７７、露光制御部７８、スキャナー制御部７９などがある。
【００２２】
スキャナー制御部７９は、フィルムスキャナー１９の照明光学系、撮像光学系、光電変換部を制御してコマ画像のデジタル画像データを取得するものであり、露光制御部７８は上述した投影露光部１０の各構成要素の動作制御を行うものである。フィルム搬送制御部７７はフィルム搬送機構１７の駆動モータＭ制御してフィルムのコマ画像を順次フィルムスキャナー１９のスキャニングポイントや露光ポイントに位置決めする。印画紙搬送機構６は、ペーパーマガジン３から印画紙４を引き出す印画紙引き出し搬送ユニット、ペーパーカッター４１によってカットされた印画紙４を露光ポイントに搬送する露光搬送ユニット、露光された印画紙４を現像処理タンク２０を通過させて排出部２２から排出させる現像搬送ユニットなどから構成されるが、これら全ての駆動モータＭを印画紙搬送制御部７６が連係又は独立させて制御する。
【００２３】
プリントサイズ決定部７４は、バーコードリーダ１８からのフィルム情報や、焼付処理に先立って取り込まれたデジタル画像データから得られた情報からプリントサイズを決定する機能を果たすものである。すなわち、本発明によるプリントサイズ決定手段は、この実施形態では、バーコードリーダ１８又はフィルムスキャナー１９、及び操作卓７ｂやプリントサイズ決定部７５によって構成されている。
【００２４】
プリント枚数決定部７５は、前述したように、モニター７ａに表示されるシミュレート画像を確認しながらオペレータによって操作卓７ｂを通じて入力された枚数に基づいてプリント枚数を決定するが、もちろん、注文情報などから読み取るような構成を採用しても良いし、両方の構成を採用してもよい。つまり、各コマ画像のプリント枚数を決定するものであれば、その形態はどのようなものでもよい。
【００２５】
マガジン情報取得部７２は、各ペーパーマガジン３に設けられたマガジンＩＤ３１を読み取るセンサー３０からの検出信号を受け取り、マガジンＩＤを生成し、印画紙残量管理手段７０に装着部１ａの前側に装着された第１ペーパーマガジン３ＡのマガジンＩＤと装着部１ａの後側に装着された第２ペーパーマガジン３ＢのマガジンＩＤを与える。マガジンＩＤがバーコードで与えられている場合センサー３０は、バーコードリーダとして構成され、そのバーコードに印画紙幅や印画紙長さの情報も含んでいる場合、このセンサー３０はマガジン情報読取センサーとして機能する。この実施形態では、予め特定のペーパーマガジン３に充填される印画紙サイズが決められて印画紙残量管理手段７０に与えられており、ペーパーマガジン３のマガジンＩＤが認識されるとそこに収納されている印画紙サイズが分かるようになっている。
【００２６】
ペーパーマガジン３から印画紙４の引き出しやペーパーマガジン３への巻き戻しには、印画紙搬送機構６の印画紙引き出し搬送ユニットだけではなく、ペーパーマガジン３内の搬送ローラも動作するが、この搬送ローラも制御も印画紙搬送制御部７６も行われるので、ペーパーマガジン３から引き出されてペーパーカッター４１でカットされた印画紙４の長さ、つまり印画紙の使用量は印画紙搬送制御部７６の駆動モータＭに対する制御動作をチェックすることで把握することができる。これを行うのが印画紙使用量算定部７１であり、本発明による印画紙使用量算定手段は、この実施形態では、印画紙搬送制御部７６と印画紙使用量算定部７１とによって構成されている。
【００２７】
印画紙残量管理手段７０は、図３に示すように、マガジンＩＤをキーとして、そのペーパーマガジン３に充填されるロール状印画紙４の印画紙幅や未使用時長さといった印画紙サイズや印画紙残量をリンクした状態で印画紙残量記録部７０ａに格納している。ペーパーマガジン３が装着部１ａに装着されると、このペーパーマガジン３が充填されたばかりの印画紙３を収納したものであるかどうかを問うメニューがモニター７ｂに表示されるので、充填されたばかりの印画紙３であればオペレータが操作卓７ｂの再充填識別信号の発生のために割り当てられた特定のキーを押す。これにより、印画紙残量管理手段７０は、そのペーパーマガジン３のマガジンＩＤにリンクしている印画紙サイズ情報の中から未使用時長さを読み出して、印画紙残量のアドレスに書き込んでおく。装着されたペーパーマガジン３が使用された印画紙３を収容している場合は、そのマガジンＩＤにリンクされている印画紙残量をそのまま使用することになるので、モニター７ａに表示されたメニューを通じて使用済みであることを印画紙残量管理手段７０に指令する。
【００２８】
いずれにしても、装着されたペーパーマガジン３から印画紙４が使用されると、その印画紙残量は、印画紙残量から印画紙使用量算定部７１によって算定された印画紙使用量を減じることによって書き換えられていく。このようにして、最新の印画紙残量が常に管理されているので、印画紙切れチェック部７３は、処理すべきオーダにおける焼付可能な全てのコマ画像のプリントサイズとプリント枚数が与えられると、印画紙使用量算定部７１によって算定される、そのオーダが要求する印画紙４の必要長さと印画紙残量（長さ）を比較することで、そのオーダの焼付処理中に印画紙切れが生じるかどうかを判定することができる。その際、最初チェックされた第１ペーパーマガジン３Ａに対して印画紙切れの判定が下った場合、同様なやり方で第２ペーパーマガジン３Ｂに対する印画紙切れのチェックが行われ、第２ペーパーマガジン３Ｂでは、印画紙切れが発生しない場合、第２ペーパーマガジン３Ｂを用いた焼付処理が行われる。いずれにせよ、印画紙切れチェック部７３によって印画紙切れの判定がなされた場合、モニター７ａにその旨の警告がなされる。
【００２９】
次に、図４のフローチャートを用いて、この写真焼付装置１による典型的な焼付処理を説明する。
処理すべきオーダが決まるとそのオーダのフィルム５がフィルム搬送機構１７に投入される（＃１０）。投入されたフィルム５は、フィルムスキャナー１９のスキャニングポイントに搬送され、順次全コマ画像がスキャンされ、そのデジタル画像データがコントローラ７に送り込まれる（＃２０）。コンロローラ７に送り込まれた画像データは、所定の画像処理を施されるとともに、自動的に決定された露光条件でのシミュレート画像を作成し、モニター７ａに表示する。オペレータは、このシミュレート画像を見ながら、焼付可能かどうかの判定、或いは必要の場合露光条件の修正を行う（＃３０）。同時に、プリントサイズ決定部７４やプリント枚数決定部７５の働きで、プリントサイズやプリント枚数も決定される（＃４０）。これを全コマ画像に対して行うと（＃５０）、印画紙残量管理手段７０は印画紙残量記録部７０ａから使用予定の第１ペーパーマガジン３Ａの残量値を読み出す（＃６０）。さらに印画紙使用量算定部７１が、＃４０のステップで求められた焼付処理すべきコマ画像のプリントサイズとプリント枚数からこのオーダの焼付処理に必要とされる印画紙量（長さ）を算定する（＃７０）。印画紙切れチェック部７３は、使用予定の印画紙長さと残っている印画紙長さを比較して、このオーダの焼付処理中に印画紙切れが発生しないかどうかをチェックする（＃８０）。
【００３０】
印画紙切れが発生しないと判断されると（Ｔｒｕｅ）、投影露光部１０での焼付処理が開始される（＃９０）。このオーダの焼付処理が終了すると、さらに処理すべきオーダがあるかどうか判定し、全オーダの処理が終了するとこのルーチンはエンドとなるが、まだ処理すべきオーダがあれば、処理すべきオーダを選択し、＃１０に戻る。
【００３１】
＃８０のチェックで、印画紙切れが発生すると判断されると（Ｆａｌｓｅ）、１オーダの焼付処理途中での印画紙切れの発生を表す警告がモニター７ａに表示されるとともに、警告音が発せられる（＃８２）。この場合、ペーパーマガジン切り換え又は他のオーダの選択のいずれかをセレクトするメニューが表示されるる。ペーパーマガジン切り換えをセレクトすると（＃８４）、この場合使用マガジンとして第２ペーパーマガジン３Ｂが選択され、＃６０にジャンプして、この第２ペーパーマガジン３Ｂの残量値が印画紙残量記録部７０ａから読み出される。ペーパーマガジンを外して再充填した場合も同様に＃６０にジャンプするが、何らかの方法で、例えばオペレータが操作卓７ｂを使ってキー入力することで印画紙残量管理手段７０に再充填信号が入力されるので、その残量値は満量となる。他のオーダが選択されると（＃８６）、新たに選択されたオーダの焼付処理を行うために＃１０に戻る。
【００３２】
上記の実施の形態では、投影露光方式を採用していたが、これに代えてデジタル露光方式を採用しても良い。この場合、投影露光部１０の代わりにデジタル露光部が備えられ、焼付原稿としては、写真フィルム以外デジタルカメラによるデジタル画像なども採用できる。
【図面の簡単な説明】
【図１】本発明による画像焼付装置を採用したプリンタープロセッサーの概略図
【図２】本発明による画像焼付装置の機能を説明するブロック図
【図３】マガジンＩＤと印画紙残量のリンクを説明する説明図
【図４】焼付処理の流れを示すフローチャート
【符号の説明】
１    写真焼付装置（画像焼付装置）
２    現像処理装置
３    ペーパーマガジン
４    印画紙
７    コントローラ
７ａ  モニター
７ｂ  操作卓
３０    読取センサー
３１    マガジンＩＤ
７０    印画紙残量管理手段
７０ａ  印画紙残量記録部
７１    印画紙使用量算定部
７２    マガジン情報取得部
７３    印画紙切れチェック部
７４    プリントサイズ決定部
７５    プリント枚数決定部
【図１】
0003543145.tif 000002
【図２】
0003543145.tif 000003
【図３】
0003543145.tif 000004
【図４】
0003543145.tif 000005